(57)【特許請求の範囲】
【請求項１】
録音機能が連動されたメモ機能運用方法において、
メモ機能及び録音機能を含むメモアプリケーションを実行するステップと、
メモデータおよびオーディオデータをリアルタイムに同時に受信するステップと、
前記メモデータおよび前記オーディオデータを受信することに対応して前記メモデータおよび前記オーディオデータを同期化するステップと、
前記メモデータおよび前記オーディオデータが同期化されたメモを格納するステップと、
前記メモを表示する画面を出力するステップと、を含み、
前記メモデータおよび前記オーディオデータを同期化するステップにおいて、前記メモデータは複数のオブジェクトで構成され、各オブジェクトは前記オーディオデータのインデックスポイントに同期化され、
前記メモを表示する画面を出力するステップにおいて、前記画面は、前記オーディオデータの再生状態を表示する進行バーを第１領域に表示し、前記メモデータを第２領域に表示し、
前記メモを格納するステップは、
既設定された規則により、前記受信されるメモデータから少なくとも一つのオブジェクトを生成するステップを含み、
前記既設定された規則は、
入力時間（ｔ）および入力距離（ｓ）のうち少なくとも一つを含み、前記規則は、タッチを開始し、絵、文字などを作成するために、直線、曲線、図形などを描いた後タッチを終了するという一つの周期の間に入力されたメモデータを意味するオブジェクト（Ｏｂｊｅｃｔ）を、どのように定義するかを決定するルールである
ことを特徴とする録音機能が連動されたメモ機能運用方法。
【請求項２】
前記メモの出力画面で、前記オーディオデータを再生するための再生信号を受信するステップと、
前記再生信号の受信に対応して前記オーディオデータを再生するステップと、をさらに含む
ことを特徴とする請求項１に記載の録音機能が連動されたメモ機能運用方法。
【請求項３】
前記オーディオデータを再生するステップは、
前記オーディオデータの再生に応じて前記第２領域のオブジェクトの背景色を変更するステップを含む
ことを特徴とする請求項２に記載の録音機能が連動されたメモ機能運用方法。
【請求項４】
前記オーディオデータを再生するステップは、
前記オーディオデータの再生中に、前記第２領域で特定のオブジェクトの選択信号を受信するステップと、
前記選択された特定のオブジェクトに同期化されたインデックスポイント位置に前記進行バーの移動バーを移動させるステップと、
前記移動された位置から前記オーディオデータを再生するステップと、をさらに含む
ことを特徴とする請求項２に記載の録音機能が連動されたメモ機能運用方法。
【請求項５】
前記移動バーを移動させるステップは、
前記オブジェクトの開始時間を基準にして前記移動バーを移動させるステップと、
前記オブジェクトの全体のサイズと、前記オブジェクトの開始位置からタッチ位置までの距離との比に基づいて、前記移動バーを移動させるステップと、のうちいずれか一つを含む
ことを特徴とする請求項４に記載の録音機能が連動されたメモ機能運用方法。
【請求項６】
整列機能の実行時、前記複数のオブジェクトを、生成された時間順に整列するステップと、
前記オブジェクトを削除、修正、追加およびコピーする編集ステップと、
前記オーディオデータと前記メモデータのシンク（ｓｙｎｃ）を修正するシンク修正ステップと、のうち少なくとも一つをさらに含む
ことを特徴とする請求項１〜５のいずれか１項に記載の録音機能が連動されたメモ機能運用方法。
【請求項７】
前記オーディオデータは、オーディオ処理部を通して受信され、前記メモデータは、入力部を通して受信される
ことを特徴とする請求項１〜６のいずれか１項に記載の録音機能が連動されたメモ機能運用方法。
【請求項８】
前記メモを格納するステップは、
前記生成されたオブジェクトを前記オーディオデータの各インデックスポイントに同期化するステップ、をさらに含む
ことを特徴とする請求項１に記載の録音機能が連動されたメモ機能運用方法。
【請求項９】
前記入力時間（ｔ）とは一つのオブジェクトの入力に要する時間すなわち前記一つの周期であり、前記入力距離（ｓ）とは前記一つのオブジェクトの入力に要する描いた距離を意味する
ことを特徴とする請求項１に記載の録音機能が連動されたメモ機能運用方法。
【請求項１０】
前記オブジェクトを生成するステップは、
前記メモデータの入力開始時間および開始位置を基準にして、前記一定の時間および前記一定の距離以内に属するメモデータを、一つのオブジェクトとして生成するステップである
ことを特徴とする請求項１に記載の録音機能が連動されたメモ機能運用方法。
【請求項１１】
前記既設定された規則は、
前記メモデータの入力モードに応じて変わるように設定される
ことを特徴とする請求項１に記載の録音機能が連動されたメモ機能運用方法。
【請求項１２】
メモ機能および録音機能を含むメモアプリケーションを実行し、メモデータおよびオーディオデータをリアルタイムに同時に受信し、前記メモデータおよび前記オーディオデータを受信することに対応して前記メモデータおよび前記オーディオデータを同期化する制御部と、
前記メモデータおよび前記オーディオデータが同期化されたメモを格納する格納部と、
前記メモを表示する画面を出力するタッチスクリーンと、を含み、
前記制御部において、前記メモデータは複数のオブジェクトで構成され、各オブジェクトは前記オーディオデータのインデックスポイントに同期化され、
前記タッチスクリーンにおいて、前記画面は、前記オーディオデータの再生状態を表示する進行バーを第１領域に表示し、前記メモデータを第２領域に表示し、
前記制御部は、
既設定された規則により、前記タッチスクリーンを通して入力されるメモデータから少なくとも一つのオブジェクトを生成し、
前記既設定された規則は、
入力時間（ｔ）および入力距離（ｓ）のうち少なくとも一つを含み、前記規則は、タッチを開始し、絵、文字などを作成するために、直線、曲線、図形などを描いた後タッチを終了するという一つの周期の間に入力されたメモデータを意味するオブジェクト（Ｏｂｊｅｃｔ）を、どのように定義するかを決定するルールである
ことを特徴とする録音機能が連動されたメモ機能運用装置。
【請求項１３】
前記制御部は、
前記画面で、前記オーディオデータを再生するための再生信号の受信に対応し、前記オーディオデータを再生するように制御する
ことを特徴とする請求項１２に記載の録音機能が連動されたメモ機能運用装置。
【請求項１４】
前記制御部は、
前記オーディオデータの再生に応じて前記第２領域のオブジェクトの背景色を変更する
ことを特徴とする請求項１３に記載の録音機能が連動されたメモ機能運用装置。
【請求項１５】
前記制御部は、
前記オーディオデータの再生中に、前記第２領域で特定のオブジェクトを選択する入力信号が受信される場合、前記選択された特定のオブジェクトに同期化されたインデックスポイント位置に前記進行バーの移動バーを移動させ、前記移動された位置から前記オーディオデータを再生するように制御する
ことを特徴とする請求項１３又は１４に記載の録音機能が連動されたメモ機能運用装置。
【請求項１６】
前記制御部は、
前記オブジェクトの開始時間を基準にして前記進行バーの移動バーを移動させる
ことを特徴とする請求項１２又は１５に記載の録音機能が連動されたメモ機能運用装置。
【請求項１７】
前記制御部は、
前記オブジェクトの全体のサイズと、前記オブジェクトの開始位置からタッチ位置までの距離との比に基づいて、前記進行バーの移動バーを移動させる
ことを特徴とする請求項１２又は１５に記載の録音機能が連動されたメモ機能運用装置。
【請求項１８】
前記制御部は、
整列機能の実行時、前記複数のオブジェクトを、生成された時間順に整列し、
前記画面に表示されたオブジェクトの削除、修正、追加およびコピー機能を含む編集機能、および前記オーディオデータと前記メモデータのシンク修正機能を制御する
ことを特徴とする請求項１２〜１７のいずれか１項に記載の録音機能が連動されたメモ機能運用装置。
【請求項１９】
前記録音機能および前記メモ機能を実行するための信号を入力する入力部と、
オーディオ信号を収集し、前記オーディオデータを生成するオーディオ処理部と、をさらに含み、
前記タッチスクリーンは、メモデータを受信する
ことを特徴とする請求項１２〜１８のいずれか１項に記載の録音機能が連動されたメモ機能運用装置。
【請求項２０】
前記制御部は、
前記生成されたオブジェクトを前記オーディオデータの各インデックスポイントに同期化し、前記メモを格納する
ことを特徴とする請求項１２に記載の録音機能が連動されたメモ機能運用装置。
【請求項２１】
前記入力時間（ｔ）とは一つのオブジェクトの入力に要する時間すなわち前記一つの周期であり、前記入力距離（ｓ）とは前記一つのオブジェクトの入力に要する描いた距離を意味する
ことを特徴とする請求項１２に記載の録音機能が連動されたメモ機能運用装置。
【請求項２２】
前記制御部は、
前記メモデータの入力開始時間および開始位置を基準にして、前記一定の時間および前記一定の距離以内に属するメモデータを一つのオブジェクトとして生成する
ことを特徴とする請求項１２に記載の録音機能が連動されたメモ機能運用装置。
【請求項２３】
前記既設定された規則は、
前記メモデータの入力モードに応じて変わるように設定される
ことを特徴とする請求項１２に記載の録音機能が連動されたメモ機能運用装置。
【請求項２４】
前記タッチスクリーンは入力部を含む
ことを特徴とする請求項１９に記載の録音機能が連動されたメモ機能運用装置。
【発明の詳細な説明】
【技術分野】
【０００１】
本発明は、メモ機能運用方法および装置に関し、特に、録音機能が連動されたメモ機能運用方法および装置に関する。
【背景技術】
【０００２】
携帯端末は、移動性に基づいて通話機能を支援する端末であって、その利便性と携帯の容易性により、幅広い分野で利用されている。携帯端末は、ユーザ機能を提供するために様々な入力方式を提供している。例えば、従来の携帯端末は、タッチパネルと表示パネルを含むタッチスクリーンを提供することにより、ユーザが、表示パネルに出力される特定のイメージを選択するために行う動作をタッチパネルで処理することができる。また、前記携帯端末は、通話機能、音楽再生機能、文字メッセージ送受信機能、デジタル放送受信機能、近距離無線通信機能、インターネット接続機能などの様々な機能を提供している。最近の携帯端末は、複数の機能を同時に使用できるマルチタスキング(Ｍｕｌｔｉ−ｔａｓｋｉｎｇ)機能を提供している。
【０００３】
一方、携帯端末のユーザは、携帯端末の利用中に、特定の情報を記入するためにメモ機能を利用している。従来のメモ機能は、単純にメモ帳を活性化し、テキスト情報を記入して格納する機能のみを提供している。ところが、ユーザがメモ機能を用いて情報記入を行う場合、普通は略式の情報のみを記載するか、頭文字／省略形態で情報を記載するため、その後メモを再確認するときに、どのような内容を作成したのかが明確に分からなくなる場合がある。すなわち、従来のメモ機能は、作成されたメモの内容を具体的に思い出すことが難しい場合があり、あまりよく使われない機能になってきている。
【発明の概要】
【発明が解決しようとする課題】
【０００４】
したがって、本発明は、上述した従来技術の問題を解決するために発明されたものであり、本発明の目的は、録音機能とメモ機能を連動してメモを作成すれば、録音データも共に格納できる、録音機能が連動されたメモ機能運用方法および装置を提供することにある。
【０００５】
本発明の他の目的は、入力されたメモに対応するオブジェクトを生成し、前記生成されたオブジェクトを録音データのインデキシング(Ｉｎｄｅｘｉｎｇ)位置と同期化して格納する、録音機能が連動されたメモ機能運用方法および装置を提供することにある。
【０００６】
本発明のさらに他の目的は、メモ出力画面で、オブジェクトの選択に対応して録音データの再生位置を移動させる、録音機能が連動されたメモ機能運用方法および装置を提供することにある。
【課題を解決するための手段】
【０００７】
上述のような目的を達成するための、本発明の好ましい実施形態に係る、録音機能が連動されたメモ機能の運用方法は、録音データと、複数のオブジェクトで構成され、各オブジェクトは前記録音データのインデックスポイントに同期化されるメモデータが同期化されたオーディオ同期メモを実行するステップと、前記オーディオ同期メモの実行に対応して前記録音データの再生状態を表示する進行バーを第１領域に表示し、前記メモデータを第２領域に表示するオーディオ同期メモ画面を出力するステップと、を含むことを特徴とする。
【０００８】
上述のような目的を達成するための、本発明の好ましい実施形態に係る録音機能が連動されたメモ機能の運用装置は、録音データと、複数のオブジェクトで構成され、各オブジェクトは前記録音データのインデックスポイントに同期化されるメモデータが同期化された少なくとも一つのオーディオ同期メモを格納する格納部と、前記オーディオ同期メモの実行に対応して前記録音データの再生状態を表示する進行バーを第１領域に表示し、前記メモデータを第２領域に表示するオーディオ同期メモ画面を出力するように制御する制御部と、前記オーディオ同期メモ画面を表示するタッチスクリーンを含むことを特徴とする。
【発明の効果】
【０００９】
上述したように、本発明の実施形態に係る、録音機能が連動されたメモ機能運用方法および装置は、録音機能とメモ機能を共に行い、録音データとメモデータを時間の流れに応じて同期化し格納することができる。これにより、本発明はメモの確認や類推をより容易に行うことができる。また、本発明は、メモ入力に対応して複数のオブジェクト（Ｏｂｊｅｃｔ）を生成し、前記生成されたオブジェクトを録音データのインデックスポイント(Ｉｎｄｅｘ Ｐｏｉｎｔ)と同期化して格納することにより、メモ出力画面でオブジェクトを選択することで録音データの再生位置を移動させることができる。すなわち、ユーザはメモと関連する時点から録音データを容易に再生することができる。
【図面の簡単な説明】
【００１０】
【図１】本発明の実施形態に係る携帯端末の構成を概略的に示したブロック図である。
【図２】本発明の実施形態に係るメモ機能運用方法のうちメモ作成方法を説明するためのフローチャートである。
【図３】本発明の他の実施形態に係るメモ機能運用方法のうちメモ作成方法を説明するためのフローチャートである。
【図４】本発明の実施形態に係るメモ機能運用方法のうちオブジェクト生成方法を説明するための図である。
【図５】本発明の実施形態に係るメモ機能運用方法のうちオブジェクト生成方法を説明するための図である。
【図６】本発明の実施形態に係るメモ機能運用方法のうちメモ出力方法を説明するためのフローチャートである。
【図７】本発明の実施形態に係る作成されたメモ出力の一例を示した画面例示図である。
【発明を実施するための形態】
【００１１】
以下、添付の図面を参照しながら、本発明の好ましい実施形態を詳細に説明する。ここで、添付の図面において、同一の構成要素は可能な限り同一の符号で表していることに留意するべきである。また、本発明の要旨を曖昧にし得る公知機能および構成に関する詳細な説明は省略する。
【００１２】
一方、本明細書と図面に開示された本発明の実施形態は、本発明の技術内容を分かりやすく説明し、本発明の理解を助けるために、特定の例を提示しただけであって、本発明の範囲を限定するものではない。ここに開示された実施形態以外にも、本発明の技術的思想に基づく他の変形例が実施可能であることは、本発明の属する技術分野における通常の知識を有する者にとって自明なことである。
【００１３】
詳細な説明に先立ち、本発明に係る携帯端末は、移動通信端末、個人情報端末(ＰＤＡ)、スマートフォン(Ｓｍａｒｔ Ｐｈｏｎｅ)、タブレットＰＣ(Ｔａｂｌｅｔ Ｐｅｒｓｏｎｎｅｌ Ｃｏｍｐｕｔｅｒ)、ＰＭＰ(Ｐｏｒｔａｂｌｅ Ｍｕｌｔｉｍｅｄｉａ Ｐｌａｙｅｒ)、電子本(Ｅｌｅｃｔｒｏｎｉｃ Ｂｏｏｋ)端末、ノートパソコン(Ｎｏｔｅｂｏｏｋ)、ネットブック(Ｎｅｔｂｏｏｋ)等がある。
【００１４】
図１は、本発明の実施形態に係る携帯端末の構成を概略的に示したブロック図である。
前記図１を参照すると、本発明の実施形態に係る携帯端末１００は、オーディオ処理部１６０、無線通信部１５０、入力部１４０、タッチスクリーン１３０、格納部１２０、および制御部１１０の構成を含むことができる。前記タッチスクリーン１３０は表示パネル１３１およびタッチパネル１３２を含むことができる。
【００１５】
このような構成を有する本発明の携帯端末１００は、録音機能が連動されたメモ機能の運用を支援することができる。詳細には、前記携帯端末１００は、メモ機能の実行途中、音声録音機能がオン(ＯＮ)になるか、録音機能の実行途中、メモ機能がオン（ＯＮ)になるか、あるいは、メモ機能および録音機能が同時にオンになる場合、ユーザによって作成されるメモを既定義された規則(Ｒｕｌｅ)によりオブジェクト(Ｏｂｊｅｃｔ)として生成し、前記生成されたオブジェクトと前記録音データのインデキシング(Ｉｎｄｅｘｉｎｇ)位置を同期化(Ｓｙｎｃｈｒｏｎｉｚａｔｉｏｎ)して格納するように支援する。すなわち、前記携帯端末１００は、メモ入力により生成されるオブジェクトを録音データのタイムライン(Ｔｉｍｅ ｌｉｎｅ)に同期化して格納することができる。また、前記携帯端末１００は、格納されたメモを出力する際、録音されたデータの再生を制御できる制御メニューを共に提供することができる。これにより、ユーザはメモの内容が明確に思い出せない場合、メモ作成時に録音した内容を再生し、メモ内容をより正確に理解することができる。特に、本発明の携帯端末１００は、メモのオブジェクトと録音データのインデックスポイントが同期化されており、メモ出力画面で該当メモ作成時点の録音データを容易に再生することができる。すなわち、前記携帯端末１００は、メモ出力画面で、特定のオブジェクトが選択(タッチ)される場合、前記特定のオブジェクトと同期化された位置の録音データを再生することができる。これにより、本発明は、講義、セミナー、会議などのように、長時間の録音およびメモを作成した場合にも、該当メモと関連する録音内容を容易に再生することができる。以下、上述したメモ機能運用を支援する携帯端末１００の各構成についてより詳細に説明する。
【００１６】
前記無線通信部１５０は、基地局と通話(音声通話および画像通話を含む)のための通信チャンネル、およびデータ伝送のためのデータ通信チャンネルなどを形成することができる。そのために、前記無線通信部１５０は、送信される信号を高い周波数に変換および増幅を行う無線周波数送信部（図示せず)、受信される信号を低雑音増幅し、低い周波数に変換する無線周波数受信部（図示せず）、および受信信号と送信信号を分離する送受信分離部（図示せず）などを含むことができる。
【００１７】
前記オーディオ処理部１６０は、通話時に送受信されるオーディオデータ、受信されたメッセージに含まれたオーディオデータ、格納部１２０に格納されたオーディオファイル再生に関わるオーディオデータなどを出力するためのスピーカー(ＳＰＫ)と、通話時にユーザの音声またはその他のオーディオ信号を収集するためのマイク(ＭＩＣ)を含む。特に、本発明に係るオーディオ処理部１６０は、メモ機能および録音機能が共にオンになる場合、マイク(ＭＩＣ)を活性化し、メモ作成中にオーディオ信号の収集を行うことができる。また、収集されたオーディオ信号は該当メモのオブジェクトと同期化して格納することができる。例えば、ユーザが講義、セミナー、会議などのような状況で、メモ機能および録音機能をオンにし、メモを作成する場合、マイクを通して収集される外部オーディオ信号は、メモ画面を通して入力されるメモデータと同期化して格納することができる。または、前記携帯端末１００が、通話(音声通話、画像通話)、放送視聴、音楽鑑賞中にメモ機能を活性化する場合、該当オーディオ信号(例えば、通話時に送受信されるオーディオ信号、放送再生によるオーディオ信号、音楽再生によるオーディオ信号)は、メモ画面を通して入力されるメモデータと同期化して格納することができる。一方、前記図１では、マイク(ＭＩＣ)が一つである場合を示したが、本発明はこれに限定されない。すなわち、前記オーディオ処理部１６０は、通話のための第１マイク以外に、録音機能がオンになったときに活性化される高性能の第２マイクを別途含むことができる。これは、講義内容を筆記するためにメモ機能および録音機能を実行する場合、話者が比較的遠くに位置し、通話用マイクを通して話者の音声が十分に録音されない問題を防止するためである。
【００１８】
前記入力部１４０は、数字または様々な文字情報を入力され、各種機能の設定および前記携帯端末１００の機能制御のための入力キー、および機能キーを含むことができる。特に、本発明に係る前記入力部１４０は、メモ機能および録音機能のオン(ＯＮ)またはオフ(ＯＦＦ)を要請する入力信号、メモ検索を要請、すなわち、メモリストの出力を要請する入力信号、メモリストから特定のメモを選択する入力信号、メモ出力画面から特定のオブジェクトを選択する入力信号、録音データの再生を制御するための入力信号などを制御部１１０に伝送することができる。このような入力部１４０は、ボタン式キーパッド(Ｋｅｙ Ｐａｄ)、ボールジョイスティック(Ｂａｌｌ Ｊｏｙｓｔｉｃｋ)、オプティカルジョイスティック(Ｏｐｔｉｃａｌ Ｊｏｙｓｔｉｃｋ)、ホイールキー(Ｗｈｅｅｌ Ｋｅｙ)、タッチキー(Ｔｏｕｃｈ ｋｅｙ)、タッチパッド(Ｔｏｕｃｈ Ｐａｄ)、タッチスクリーン(Ｔｏｕｃｈ−ｓｃｒｅｅｎ、１３０)などの入力手段の中からいずれか一つ、またはこれらの組み合わせにより形成することができる。
【００１９】
前記タッチスクリーン１３０は入力機能および表示機能を実行することができる。そのために、前記タッチスクリーン１３０は表示パネル１３１およびタッチパネル１３２を含むことができる。
【００２０】
前記表示パネル１３１は、携帯端末１００の各種メニューをはじめ、ユーザが入力した情報またはユーザに提供する情報を表示する。すなわち、前記表示パネル１３１は、携帯端末１００の利用に関わる様々な画面、例えば、待ち受け画面(ホーム画面)、メニュー画面、メッセージ作成画面、通話画面、日程管理画面、連絡先画面、ウェブページ出力画面などを表示することができる。特に、本発明に係る表示パネル１３１は、メモ機能の活性化のためのメニューやアイコンを一定の領域に出力することができる。前記アイコンは特定のサイドキーに代替することができる。また、前記表示パネル１３１はメモ作成画面、作成されたメモ出力画面などを表示することができる。前記メモ作成画面はメモ作成のためのツールを含むことができる。前記ツールはテキスト、図形、線、記号、エモーティコン(ｅｍｏｔｉｃｏｎ)などを入力するツールを含むことができる。前記メモ作成画面は録音機能をオンにするメニューを含むことができる。前記メモ出力画面は、前記メモが録音データを含む場合、録音データの再生を制御する第１領域、およびメモ内容が出力される第２領域を含むことができる。これに関する詳細な説明は図７を参照して後述する。このような表示パネル１３１は、液晶表示装置(Ｌｉｑｕｉｄ Ｃｒｙｓｔａｌ Ｄｉｓｐｌａｙ:ＬＣＤ)、ＯＬＥＤ(Ｏｒｇａｎｉｃ Ｌｉｇｈｔ Ｅｍｉｔｔｅｄ Ｄｉｏｄｅ)、ＡＭＯＬＥＤ(Ａｃｔｉｖｅ Ｍａｔｒｉｘ Ｏｒｇａｎｉｃ Ｌｉｇｈｔ Ｅｍｉｔｔｅｄ Ｄｉｏｄｅ)などで形成することができる。
【００２１】
前記タッチパネル１３２は、表示パネル１３１の全面に装着され、タッチ入力装置、例えば、ユーザの指またはスタイラス(Ｓｔｙｌｕｓ)などが接触する場合、タッチイベントを生成し、生成されたタッチイベントを制御部１１０に伝達することができる。詳細には、前記タッチパネル１３２は、タッチ入力装置の接触による物理量(例えば、静電容量、抵抗値など)の変化に応じてタッチを認識し、タッチ位置情報を制御部１１０に伝達することができる。このような前記タッチパネル１３２は、本発明の技術分野における通常の知識を有する者にとって自明なことであるので、詳細な説明は省略する。一方、前記タッチパネル１３２は、ユーザのジェスチャーのような一般的なタッチを認識する第１タッチパネル、およびスタイラスまたは電子ペン等によるメモ入力のような精密な入力のための第２タッチパネルを含むことができる。
【００２２】
前記格納部１２０は、携帯端末１００のオペレーティングシステム(ＯＳ、Ｏｐｅｒａｔｉｎｇ Ｓｙｓｔｅｍ)をはじめ、その他のオプション(ｏｐｔｉｏｎｓ)機能、例えば、音の再生機能、イメージまたは動画撮影機能、インターネット接続機能、デジタル放送再生機能などに必要な応用プログラムをはじめ、ユーザデータおよび通信時に送受信されるデータなどを格納することができる。例えば、前記格納部１２０は動画ファイル、ゲームファイル、音楽ファイル、映画ファイルなどを格納することができる。特に、本発明に係る格納部１２０は、入力されるメモを既設定された規則により、オブジェクト単位で区分するオブジェクト生成プログラムを格納することができる。前記オブジェクト生成プログラムは、入力時間（ｔ）および入力距離（ｓ）のうち少なくとも一つによりオブジェクトを生成することができる。前記入力時間（ｔ）および入力距離（ｓ）によりオブジェクトのサイズが変わる。例えば、前記入力時間（ｔ）および入力距離（ｓ）に応じて、一つの文字がオブジェクトとして生成されるか、あるいは複数の文字が一つのオブジェクトとして生成されることができる。前記入力時間（ｔ）および入力距離（ｓ）は入力モードにより値が変わる。例えば、テキスト入力時、前記入力時間（ｔ）および入力距離（ｓ）は比較的小さい値を有し、イメージ入力時、前記入力時間（ｔ）および入力距離（ｓ）は比較的大きい値を有する。ここで、前記オブジェクトは開始位置、最大のサイズ(Ｍａｘ ｓｉｚｅ)、開始時間、および合計の作成時間を含むことができる。このようなオブジェクトに関する詳細な説明は、図４および図５を参照して後述する。
【００２３】
また、前記格納部１２０は、生成されたオブジェクトと録音データのインデックス（Ｉｎｄｅｘ）ポイントを同期化(Ｓｙｎｃｈｒｏｎｉｚａｔｉｏｎ)して格納する同期化プログラムを格納することができる。前記同期化プログラムは、前記オブジェクトの開始時間と録音データのタイムラインを同期化することができる。また、前記格納部１２０は録音データを再生する再生プログラムを格納することができる。前記再生プログラムは、メモ出力画面で特定のオブジェクトが選択(タッチ)される場合、該当オブジェクトと同期化された録音データのインデックスポイントに移動し、録音データを再生することができる。
【００２４】
前記制御部１１０は、携帯端末１００の全般的動作および携帯端末１００の内部ブロック間の信号の流れを制御し、データを処理するデータ処理機能を実行することができる。例えば、前記制御部１１０は、中央処理装置(Ｃｅｎｔｒａｌ Ｐｒｏｃｅｓｓｉｎｇ Ｕｎｉｔ:ＣＰＵ)、マイクロプロセッサー(Ｍｉｃｒｏ Ｐｒｏｃｅｓｓｏｒ Ｕｎｉｔ:ＭＰＵ)、アプリケーションプロセッサー(Ａｐｐｌｉｃａｔｉｏｎ Ｐｒｏｃｅｓｓｏｒ)などにすることができる。特に、本発明に係る制御部１１０は、録音機能が連動されたメモ機能の運用を制御することができる。すなわち、前記制御部１１０はメモ作成および格納ステップを制御することができる。ここで、前記制御部１１０は既設定された規則によりオブジェクトを生成するステップを制御することができる。また、前記制御部１１０は作成されたメモを出力するステップを制御することができる。これに関する詳細な説明は図２ないし図７を参照して後述する。
【００２５】
一方、前記図１に示されていないが、前記携帯端末１００は、位置情報を受信するためのＧＰＳ(Ｇｌｏｂａｌ Ｐｏｓｉｔｉｏｎｉｎｇ Ｓｙｓｔｅｍ)モジュール、放送を受信するための放送受信モジュール、ＭＰ３モジュールのようなデジタル音源再生モジュール、および近距離無線通信機能を行う近距離無線通信モジュールなどの付加機能を有する構成要素を選択的にさらに含むことができる。このような構成要素は、デジタル機器のコンバージェンス(ｃｏｎｖｅｒｇｅｎｃｅ)傾向により変形が様々であるので、全部列挙することは難しいが、本発明に係る携帯端末１００は、上記で言及した構成要素と同等レベルの構成要素をさらに含むことができる。
【００２６】
図２は、本発明の実施形態に係るメモ機能運用方法のうちメモ作成方法を説明するためのフローチャートである。
【００２７】
前記図１および図２を参照すると、本発明の実施形態に係る制御部１１０は、２０１ステップでメモ機能の実行が要請されるのかを確認することができる。前記２０１ステップでメモ機能の実行が要請されない場合、前記制御部１１０は２０３ステップに進行して該当機能を実行することができる。例えば、前記制御部１１０は、ユーザの要請により、音楽再生機能、放送再生機能、インターネット接続機能などを実行するか、あるいは待ち受け状態を維持することができる。一方、前記２０１ステップでメモ機能の実行が要請される場合、前記制御部１１０は２０５ステップに進行してメモ機能を実行することができる。すなわち、前記制御部１１０はメモ作成画面を出力し、前記メモ作成画面を通して入力されるメモを格納することができる。
【００２８】
前記制御部１１０は、２０７ステップで、前記メモ機能の実行中に、録音機能の実行が要請されるのかを確認することができる。前記２０７ステップで録音機能の実行が要請されない場合、前記制御部１１０は後述する２１５ステップに進行することができる。一方、前記２０７ステップで録音機能の実行が要請される場合、前記制御部１１０は２０９ステップに進行し、録音データのインデックスポイントとメモデータを同期化して格納することができる。そのために、前記制御部１１０は、メモ作成画面を通してメモが入力される場合、既設定された規則によりオブジェクト(Ｏｂｊｅｃｔ)を生成し、前記生成されたメモのオブジェクトを前記録音データのインデックスポイントと同期化して格納することができる。ここで、前記既設定された規則によりオブジェクトを生成する方法に関する説明は、図４および図５を参照して説明する。
【００２９】
前記制御部１１０は、２１１ステップで録音機能の終了が要請されるのかを確認することができる。前記２１１ステップで録音機能の終了が要請される場合、前記制御部１１０は２１３ステップに進行し、録音機能を終了してメモ機能のみを実行することができる。次に、前記制御部１１０は、２１５ステップでメモ機能の終了が要請されるのかを確認することができる。前記２１５ステップでメモ機能の終了が要請される場合、前記制御部１１０はメモ機能を終了することができる。一方、前記２１５ステップでメモ機能の終了が要請されない場合、前記制御部１１０は前記２０７ステップに復帰し、上述のステップを繰り返し行うことができる。
【００３０】
一方、前記２１１ステップで録音機能の終了が要請されない場合、制御部１１０は２１７ステップに進行し、メモ機能の終了が要請されるのかを確認することができる。前記２１７ステップでメモ機能の終了が要請されない場合、前記制御部１１０は前記２０９ステップに復帰し、上述のステップを繰り返し行うことができる。一方、前記２１７ステップでメモ機能の終了が要請される場合、前記制御部１１０は２１９ステップに進行し、メモ機能を終了して録音機能のみを実行することができる。次に、前記制御部１１０は、２２１ステップで録音機能の終了が要請されるのかを確認することができる。前記２２１ステップで録音機能の終了が要請される場合、前記制御部１１０は録音機能を終了することができる。一方、前記２２１ステップで録音機能の終了が要請されない場合、前記制御部１１０は２２３ステップに進行し、メモ機能の実行が要請されるのかを確認することができる。前記２２３ステップでメモ機能の実行が要請されない場合、前記制御部１１０は２１９ステップに復帰し、前記メモ機能の実行が要請される場合、前記制御部１１０は２０９ステップに復帰し、上述のステップを繰り返し行うことができる。
【００３１】
一方、以上では、メモ機能の実行中に録音機能をオンにする場合を説明したが、本発明はこれに限定されない。例えば、本発明は、録音機能の実行中にメモ機能がオンになる場合や、前記メモ機能および録音機能が共にオンになる場合にも適用することができる。また、以上では、メモ機能または録音機能を個別的にオフ(ＯＦＦ)にする場合を説明したが、本発明はこれに限定されない。例えば、前記メモ機能および録音機能を同時に実行する途中に、メモ機能の終了信号が入力される場合、前記制御部１１０はメモ機能および録音機能を同時にオフすることもできる。これと同様に、前記メモ機能および録音機能を同時に実行する途中に、録音機能の終了信号が入力される場合、前記制御部１１０はメモ機能および録音機能を共にオフすることもできる。
【００３２】
図３は、本発明の他の実施形態に係るメモ機能運用方法のうちメモ作成方法を説明するためのフローチャートである。
前記図３を参照すると、本発明の実施形態に係る制御部１１０は、３０１ステップで通話中である。次に、前記制御部１１０は、３０３ステップでメモ機能の実行が要請されるのかを確認することができる。前記３０３ステップでメモ機能の実行が要請されない場合、前記制御部１１０は後述する３１１ステップに進行することができる。一方、前記３０３ステップでメモ機能の実行が要請される場合、前記制御部１１０は３０５ステップに進行し、録音データのインデックスポイントとメモデータを同期化して格納することができる。そのために、前記制御部１１０は、メモ作成画面を通してメモが入力される場合、既設定された規則によりオブジェクト(Ｏｂｊｅｃｔ)を生成し、前記生成されたメモのオブジェクトを前記録音データのインデックスポイントと同期化して格納することができる。ここで、前記既設定された規則によりオブジェクトを生成する方法に関する説明は、図４および図５を参照して説明する。
【００３３】
次に、前記制御部１１０は、３０７ステップでメモ機能の終了が要請されるのかを確認することができる。前記３０７ステップでメモ機能の終了が要請されない場合、前記制御部１１０は３０９ステップに進行し、通話終了信号が入力されるのかを確認することができる。前記３０９ステップで通話終了信号が入力される場合、前記制御部１１０は通話およびメモ機能を終了することができる。一方、前記３０９ステップで通話終了信号が入力されない場合、前記制御部１１０は前記３０５ステップに復帰し、上述のステップを繰り返し行うことができる。
【００３４】
一方、前記３０７ステップでメモ機能の終了信号が入力される場合、前記制御部１１０は３１１ステップに進行し、通話終了信号が入力されるのかを確認することができる。前記３１１ステップで通話終了信号が入力される場合、前記制御部１１０は通話を終了することができる。一方、前記３１１ステップで通話終了信号が入力されない場合、前記制御部１１０は３０３ステップに進行し、上述のステップを繰り返し行うことができる。
【００３５】
一方、前記図３では、通話の途中にメモ機能を実行する場合を説明したが、本発明はこれに限定されない。例えば、本発明は、音楽再生、放送再生、動画講義再生などのようなオーディオ信号の再生中にメモ機能を実行する様々な場合に適用することができる。
【００３６】
図４および図５は、本発明の実施形態に係るメモ機能運用方法のうちオブジェクト生成方法を説明するための図である。
【００３７】
前記図１ないし図５を参照すると、オブジェクト(Ｏｂｊｅｃｔ)とは、タッチを開始し、絵、文字などを作成するために、直線、曲線、図形などを描いた後タッチを終了するという一つの周期の間、入力されたメモデータを意味する。前記オブジェクトは、文字、点、チェック表示、および記号などにすることができる。ここで、前記オブジェクトは、前記図４の(ａ)に示されたように、文字、記号、絵などを含む四角形、三角形、および円などの様々な形態で定義することができる。
【００３８】
また、複数のオブジェクトは一つのオブジェクトに結合することもできる。例えば、前記図４の(ｂ)に示されたように、
【数１】
0006418725.tif 000002
このように、メモの入力時、生成されるオブジェクトのサイズは、入力時間（ｔ）および入力距離（ｓ）のうち少なくとも一つを含むオブジェクト生成規則により変わる。すなわち、前記図５に示されたように、同一のメモが入力されても、前記生成規則により１０個のオブジェクトを生成することもあり、５個のオブジェクトを生成することもある。前記図５で、メモの下段にぼやけて表示された「ｏｂｊｅｃｔ１」ないし「ｏｂｊｅｃｔ１０」は分かりやすく説明するために表したものであり、実際画面上には表示されない。
【００３９】
前記オブジェクト生成のための入力時間（ｔ）および入力距離（ｓ）は設計者の意図により、一定の値に固定してもよく、ユーザが変更できるように提供してもよい。または、ユーザが複数のステップのうちいずれか一つを選択できるようにすることもできる。例えば、前記図４に示されたように、上、中、下を含む三つのステップのうちいずれか一つを選択できるオプションメニューを提供することができる。
【００４０】
前記入力時間（ｔ）および入力距離（ｓ）は入力モードに応じて値が変わる。例えば、文字入力モードの場合、入力時間（ｔ）および入力距離（ｓ）は比較的小さい値(例えば、上中下ステップを有する場合、下)を有し、絵を描くモードの場合、入力時間（ｔ）および入力距離（ｓ）は比較的大きい値(例えば、上中下ステップを有する場合、上)を有する。
【００４１】
図６は、本発明の実施形態に係るメモ機能運用方法のうちメモ出力方法を説明するためのフローチャートであり、図７は、本発明の実施形態に係る作成されたメモ出力の一例を示した画面例示図である。
【００４２】
前記図１ないし図７を参照すると、本発明の実施形態に係る制御部１１０は、６０１ステップでメモ検索が要請されるのかを確認することができる。前記６０１ステップでメモ検索が要請されない場合、前記制御部１１０は６０３ステップに進行し、該当機能を実行することができる。例えば、前記制御部１１０は、ユーザの要請に応じて、音楽再生機能、放送再生機能、インターネット接続機能などを実行するか、あるいは待ち受け状態を維持することができる。
【００４３】
一方、前記６０１ステップでメモ検索機能が要請される場合、前記制御部１１０は６０５ステップに進行し、以前に作成されて格納部１２０に格納されたメモのリストを出力することができる。前記リストは、録音データを含むメモと録音データを含まないメモを含むことができる。ここで、前記制御部１１０は、録音データを含むメモと録音データを含まないメモを視覚的に区分できるように表示することができる。例えば、前記制御部１１０は、録音データを含むメモの一側に表式(例えば、アイコン)を表示することができる。または、前記制御部１１０は、リスト領域を二つに分類し、録音データを含むメモと録音データを含まないメモを互いに別々の領域に表示することができる。または、前記制御部１１０は、録音データを含むメモと録音データを含まないメモを選択できるオプションメニューを提供し、前記オプションメニューから選択された種類のメモのみをリストに表示することができる。
【００４４】
前記制御部１１０は、６０７ステップで特定のメモが選択されるのかを確認することができる。前記６０７ステップで特定のメモが選択されない場合、前記制御部１１０は６０９ステップに進行し、終了信号が入力されるのかを確認することができる。前記６０９ステップで終了信号が入力される場合、前記制御部１１０はメモ検索を終了することができる。一方、前記６０９ステップで終了信号が入力されない場合、前記制御部１１０は６０７ステップに復帰することができる。
【００４５】
一方、前記６０７ステップで特定のメモが選択される場合、前記制御部１１０は６１１ステップに進行し、選択された特定のメモを出力することができる。このとき、前記選択された特定のメモは録音データを含むメモであると仮定する。ここで、前記図７を参照すると、前記選択された特定のメモが出力されるメモ出力画面は、録音データが表示される第１領域１とメモ内容が出力される第２領域２を含むことができる。前記第１領域１は録音データの再生状態を表わす状態バー３を含むことができる。前記状態バー３は進行バー(ｐｒｏｇｒｅｓｓ ｂａｒ)と呼ばれることもある。前記状態バー３は、現在の再生位置を表わす移動バー４とタイムライン５を含むことができる。前記タイムライン５は、オブジェクトが同期化されていることを表わすために、オブジェクトが同期化された領域の色を違う色で表示することができる。
【００４６】
前記録音データを含むメモが出力されれば、前記制御部１１０は、６１３ステップで録音データの再生要請が発生するのかを確認することができる。前記録音データの再生要請は、再生メニューまたは特定のオブジェクトのダブルタッチにより発生することができる。このような再生要請方法は一例に過ぎず、本発明を限定するものではない。すなわち、様々な方法により録音データの再生を要請することができる。前記６１３ステップで録音データの再生要請が発生しない場合、前記制御部１１０は後述する６２３ステップに進行することができる。一方、前記６１３ステップで録音データの再生要請が発生すれば、前記制御部１１０は６１５ステップに進行し、録音データを再生することができる。このとき、前記制御部１１０は、前記録音データの再生に対応して第２領域２のオブジェクトの背景色を変更することができる。これは、現在再生されている録音データと関連するメモ内容をユーザが容易に把握できるようにするためである。例えば、前記図７の識別符号７１０および７２０の図面に示されたように、録音データの再生に対応して第２領域２のオブジェクトの背景色を変更することができる。
【００４７】
次に、前記制御部１１０は、６１７ステップで特定のオブジェクトが選択されるのかを確認することができる。前記６１７ステップで特定のオブジェクトが選択される場合、前記制御部１１０は録音データの再生位置を移動させることができる。すなわち、前記制御部１１０は、前記選択された特定のオブジェクトに同期化されたインデックスポイントの位置に移動し、録音データを再生することができる。例えば、ユーザが、オブジェクト「三星物産」を選択(タッチ)する場合、制御部１１０は、前記識別符号７２０の図面に示されたように、オブジェクト「三星物産」に対応する位置の録音データを再生することができる。このとき、前記制御部１１０は、選択されたオブジェクト「三星物産」に含まれた開始時間を基準にして録音データの再生位置を移動させることができる。すなわち、前記制御部１１０は、前記選択されたオブジェクトの開始時間を基準にして前記移動バー４を移動させることができる。または、前記制御部１１０は、オブジェクト内のタッチ位置に基づいて録音データの再生位置を移動させることができる。すなわち、前記制御部１１は、前記選択されたオブジェクトの全体のサイズと、前記選択されたオブジェクトの開始位置からタッチ位置までの距離との比に基づいて前記移動バー４を移動させることができる。例えば、前記オブジェクト「三星物産」の開始時間が５秒で、合計の作成時間が１２秒である場合、ユーザがオブジェクトの中間地点をタッチしたと仮定すれば、前記制御部１１０は、開始時間の５秒に合計の作成時間の半分である６秒を足した、１１秒地点に再生位置を移動させることができる。そのために、前記制御部１１０は、オブジェクト上にタッチが感知された時、基準方向のオブジェクトのサイズを基準にしてタッチされた地点の比率を計算することができる。例えば、前記制御部１１０は、メモが横方向で作成された場合、オブジェクトの横の長さを基準にしてタッチされた地点の比率を計算することができる。または、メモが縦方向で作成された場合、前記制御部１１０は、オブジェクトの縦の長さを基準にしてタッチされた地点の比率を計算することができる。
【００４８】
一方、前記６１７ステップで特定のオブジェクトが選択されない場合、前記制御部１１０は６２１ステップに進行し、録音データの再生完了信号が入力されるのかを確認することができる。前記６２１ステップで再生完了信号が入力されない場合、前記制御部１１０は６１７ステップに復帰することができる。一方、前記６２１ステップで再生完了信号が入力される場合、前記制御部１１０は、６２３ステップでバックキー(ｂａｃｋ ｋｅｙ)信号が入力されるのかを確認することができる。前記バックキー信号が入力されない場合、前記制御部１１０は前記６１３ステップに復帰することができる。一方、前記バックキー信号が入力される場合、前記制御部１１０はメモリストを出力する前記６０５ステップに復帰することができる。
【００４９】
一方、前記図６および図７に示されていないが、前記ユーザは移動バー４をタッチしたまま移動して録音データの再生位置を変更することができる。または、ユーザは、タイムライン５の任意の位置をタッチして録音データの再生位置を変更することができる。また、前記制御部１１０は、ユーザの要請に応じて録音データの中止(Ｓｔｏｐ)、一時停止(Ｐａｕｓｅ)を行うことができる。
【００５０】
前記制御部１１０は、作成されたメモの編集、すなわち、特定のオブジェクトの削除、修正、および追加機能などを制御することができる。例えば、前記制御部１１０は、特定のオブジェクトを既設定された時間以上タッチするロングタッチ(Ｌｏｎｇ−ｔｏｕｃｈ)イベントが感知される場合、削除、修正、および追加メニューを出力し、ユーザの選択による機能実行を制御することができる。前記制御部１１０はオブジェクトの位置移動機能を制御することができる。例えば、ユーザは、ドラッグアンドドロップを用いてオブジェクトの位置を移動させることができる。これにより、ユーザは散在しているメモをユーザの意図により整理することができる。
【００５１】
前記制御部１１０はオブジェクトの整列機能を制御することができる。これは、ユーザがメモを順番に作成せずに、メモ作成画面のあちこちにメモを作成し、散在している場合に有用である。すなわち、散在しているメモを録音データのタイムラインを基準に整列して表示することにより、ユーザの便宜性を向上させることができる。前記制御部１１０は、ユーザの要請に応じてオブジェクトのコピー、切り取りなどの機能を制御することができる。
【００５２】
また、前記制御部１１０は録音データとオブジェクトのシンク（ｓｙｎｃ）を修正することもできる。例えば、ユーザは、オブジェクトの開始位置と同期化された録音データのインデックスポイントを修正することができる。これは、ユーザのメモ時点と話者の話す時点とが一致しないこともあるためである。すなわち、ユーザが、話者の説明を聞いた後メモを作成したことで、録音データとメモのシンクが合わなくなるという問題を解決することができる。例えば、ユーザはシンクを修正しようとする特定のメモを選択し、シンク修正メニューを選択して、移動バーを希望する時点に移動させることができる。
【００５３】
上述のような本発明の実施形態に係る録音機能が連動されたメモ機能運用方法は、様々なコンピュータ手段を用いて実行できるプログラム命令形態で具現し、コンピュータで読み取り可能な記録媒体に記録することができる。ここで、前記コンピュータで読み取り可能な記録媒体は、プログラム命令、データファイル、データ構造などを単独で、または、組み合わせることで含むことができる。一方、記録媒体に記録されるプログラム命令は、本発明のために特別に設計されて構成されたものであってもよく、コンピュータソフトウェア当業者に公知されて使用可能になったものであってもよい。前記コンピュータで読み取り可能な記録媒体には、ハードディスク、フロッピー（登録商標）ディスク、磁気テープのような磁気媒体(Ｍａｇｎｅｔｉｃ Ｍｅｄｉａ)、ＣＤ−ＲＯＭ、ＤＶＤのような光気録媒体(Ｏｐｔｉｃａｌ Ｍｅｄｉａ)、フロプティカルディスク(Ｆｌｏｐｔｉｃａｌ Ｄｉｓｋ)のような磁気−光媒体(Ｍａｇｎｅｔｏ−Ｏｐｔｉｃａｌ Ｍｅｄｉａ)、ロム(ＲＯＭ)、ラム(ＲＡＭ)、フラッシュメモリなどのような、プログラム命令を格納し、実行するように特別に構成されたハードウェア装置が含まれる。また、プログラム命令には、コンパイラにより作られるような機械語コードだけでなく、インタープリターなどを用いてコンピュータにより実行される高級言語コードを含む。上述したハードウェア装置は、本発明の動作を実行するために、一つ以上のソフトウェアモジュールとして作動するように構成される。
【００５４】
以上では、本発明の実施形態に係る録音機能が連動されたメモ機能運用方法および装置について、本明細書および図面により、好ましい実施形態を挙げて説明した。ここで、特定の用語が使用されているが、これは単に本発明の技術内容を分かりやすく説明し、発明の理解を助けるために使用されただけであり、本発明は上述の実施形態に限定されるものではない。すなわち、本発明の技術的思想に基づく様々な実施形態が実施可能であることは、本発明の属する技術分野における通常の知識を有する者にとって自明なことである。
【符号の説明】
【００５５】
１００:携帯端末
１１０:制御部
１２０:格納部
１３０:タッチスクリーン
１４０:入力部
１５０:無線通信部
１６０:オーディオ処理部
１３１:表示パネル
１３２:タッチパネル
【図１】
0006418725.tif 000003
【図２】
0006418725.tif 000004
【図３】
0006418725.tif 000005
【図４】
0006418725.tif 000006
【図５】
0006418725.tif 000007
【図６】
0006418725.tif 000008
【図７】
0006418725.tif 000009